(57)【要約】【課題】チャンネル切替動作が行われる場合において、その実質的な切替速度を短くし、視聴者の心的ストレスを低減させると共に消費電力を低減することができるディジタル放送受信装置を提供する。【解決手段】ディジタル放送受信装置は、複数のＴＶチューナ１０１〜１０３と、ＴＶチューナ１０１〜１０３のいずれか１つにより復調された圧縮信号を復号するＭＰＥＧ復号部２００と、任意のチャンネルの１つを指定する選局部４０１と、複数のＴＶチューナ１０１〜１０３の１つに選局部４０１により選局されたチャンネルを割り当てるチューナ割当・駆動部４０３とを備える。チューナ割当・駆動部４０３は、推薦番組情報の表示が開始されたとき、待機チューナを駆動させ、推薦番組情報の表示が終了した時に、待機チューナの駆動を停止する。チューナ割当・駆動部４０３は、待機チャンネルに所定のチャンネルを割り当てる。【選択図】図２
2008219121.tif 000002
【特許請求の範囲】
【請求項１】
受信電波から圧縮信号を復調する複数のチューナと、
前記チューナのいずれか１つにより復調された圧縮信号を復号する復号部と、
復号された信号に基づき画像を表示する表示部と、
任意のチャンネルの１つを指定する選局部と、
前記複数のチューナの１つに前記選局部により選局されたチャンネルを割り当てるチューナ割り当て部と、
前記複数のチューナをそれぞれ駆動するチューナ駆動部と
を備え、
前記チューナ駆動部は、所定の待機駆動開始条件が成立した場合に前記複数のチューナのうち前記選局部により選局されていない待機チューナを駆動し、所定の待機駆動停止条件が成立した場合に前記待機チューナの駆動を停止し、
前記チューナ割り当て部は、前記チューナ駆動部により駆動される前記待機チューナに、所定の待機チャンネルを割り当てる
ことを特徴とするディジタル放送受信装置。
【請求項２】
前記表示部に推薦番組情報を表示する推薦番組制御部を備え、
前記待機駆動開始条件は、前記推薦番組情報の表示が開始されたときに成立し、
前記待機駆動停止条件は、前記推薦番組情報の表示が終了されたときに成立する
ことを特徴とする請求項１記載のディジタル放送受信装置。
【請求項３】
前記待機駆動開始条件は、ディジタル放送受信装置に電源が投入されたとき又は前記選局部が指定するチャンネルが切り替えられたときに成立し、
前記待機駆動停止条件は、ディジタル放送受信装置に電源が投入されたとき又は前記選局部が指定するチャンネルが切り替えられたときから、前記選局部が指定するチャンネルが切り替えられることなく所定時間が経過したときに成立する
ことを特徴とする請求項１又は請求項２記載のディジタル放送受信装置。
【請求項４】
前記待機駆動開始条件は、ディジタル放送受信装置に電源が投入されたとき又は前記選局部が指定するチャンネルが切り替えられたときに成立し、
前記待機駆動停止条件は、ディジタル放送受信装置に電源が投入されたとき又は前記選局部が指定するチャンネルが切り替えられたあとに、前記選局部が指定するチャンネルが切り替えられることなく所定の番組数の番組の放送が終了したしたときに成立する
ことを特徴とする請求項１乃至請求項３のいずれか１項記載のディジタル放送受信装置。
【請求項５】
前記待機駆動開始条件は、番組放送からＣＭ放送に切り替わったときに成立し、
前記待機駆動停止条件は、前記ＣＭ放送から前記番組放送に切り替わったときに成立する
ことを特徴とする請求項１乃至請求項４のいずれか１項記載のディジタル放送受信装置。
【請求項６】
前記待機駆動開始条件は、テロップ放送が開始されたときに成立し、
前記待機駆動停止条件は、前記テロップ放送が終了したときに成立する
ことを特徴とする請求項１乃至請求項５のいずれか１項記載のディジタル放送受信装置。
【請求項７】
前記待機チャンネルは、
前記テロップの内容に関連したチャンネルである
ことを特徴とする請求項６記載のディジタル放送受信装置。
【請求項８】
待機チューナに割り当てる前記待機チャンネルを決定する待機チャンネル決定部を備え、
前記待機チャンネル決定部は、前記選局部によるチャンネルの指定期間、及び前記選局部によるチャンネルの指定順番に基づき決定する
ことを特徴とする請求項１乃至請求項７のいずれか１項記載のディジタル放送受信装置。
【請求項９】
前記待機駆動停止条件は、ディジタル放送受信装置への電力供給を特定時間経過後に停止するためのオフタイマ設定がなされたときに成立する
ことを特徴とする請求項１乃至請求項８のいずれか１項記載のディジタル放送受信装置。
【請求項１０】
前記選局部を遠隔制御し、前記選局部が指定するチャンネルを切替可能なチャンネル切替ボタンを有する選局遠隔制御部を備え、
前記選局遠隔制御部は、視聴者により把持されたことを検知する検知部を備え、
前記待機駆動開始条件は、前記検知部が検知したときに成立する
ことを特徴とする請求項１乃至請求項９のいずれか１項記載のディジタル放送受信装置。
【発明の詳細な説明】
【技術分野】
【０００１】
本発明は、ディジタル放送受信装置に関する。
【背景技術】
【０００２】
近年、放送のディジタル化が進展しており、２０１１年までには地上波アナログ放送は完全に地上波ディジタル放送に置き換えられる予定である。放送のディジタル化により多チャンネル化も進展しており、視聴者にとっては、チャンネルの選択の幅が益々広がっている。しかし、チャンネル選択の幅の拡大は、同時に視聴者にとって好みの番組を効率的に見つけることを困難にしており、視聴者にとって好みの番組を効率的に見つけることを困難にしており、視聴者にとって心的ストレスの原因となっている。このような問題に対応するため、ＴＶ受信機のリモコンお好みの番組等のキーを登録可能にしたり、又はジャンル毎にキーを分類したりするなどして好みの番組選択を容易にする技術が開示されている（例えば、特許文献１参照）。
【０００３】
ところで、ディジタル放送では、映像や音声、データなどの個別のストリームを共通の信号形式で扱い、１つのストリームとして伝送するトランスポートストリームという多重信号形式を採用している。トランスポートストリームは、トランスポートパケット（ＴＳパケット）が複数個集まって構成される。ＴＳパケットは１８８ｂｙｔｅの固定長パケットであり、４ｂｙｔｅ固定長のパケットヘッダと、可変長のアダプテーションフィールド及びペイロードを含んでいる。ディジタル放送受信装置においては、このような信号にＯＦＤＭ復調・誤り訂正を実行し、ここから映像及び音声のＴＳパケットを分離した後、ＭＰＥＧ圧縮信号を復号化して映像及び音声信号を取得する。しかし、このＴＳパケットの分離、及びＭＰＥＧ圧縮信号の復号化に時間にはある程度の時間を要する。このため、ディジタル放送受信装置においては、周波数を切り換えるだけで切替後のチャンネルが直ちに表示されるアナログ放送受信装置に比べ、チャンネル切替後の表示が通常０．５〜２秒ほど遅く、その間画面がフリーズするなどの問題が生じている。このような切替速度の問題は、多チャンネル化が益々進展し、チャンネルを切り換える機会が多くなる状況では深刻な問題であり、上記の従来技術によって十分解決されるものではない。
【０００４】
また、上記の問題に加えて、ディジタル放送受信装置において消費される消費電力の低減を図ることが望まれている。
【特許文献１】特開２００５−３３２６８号公報
【発明の開示】
【発明が解決しようとする課題】
【０００５】
本発明は、チャンネル切替動作が行われる場合において、その実質的な切替速度を短くし、視聴者の心的ストレスを低減させると共に消費電力を低減することができるディジタル放送受信装置を提供することを目的とする。
【課題を解決するための手段】
【０００６】
上記目的を達成するために、本発明の一態様に係るディジタル放送受信装置は、    受信電波から圧縮信号を復調する複数のチューナと、前記チューナのいずれか１つにより復調された圧縮信号を復号する復号部と、復号された信号に基づき画像を表示する表示部と、任意のチャンネルの１つを指定する選局部と、前記複数のチューナの１つに前記選局部により選局されたチャンネルを割り当てるチューナ割り当て部と、前記複数のチューナをそれぞれ駆動するチューナ駆動部とを備え、前記チューナ駆動部は、所定の待機駆動開始条件が成立した場合に前記複数のチューナのうち前記選局部により選局されていない待機チューナを駆動し、所定の待機駆動停止条件が成立した場合に前記待機チューナの駆動を停止し、前記チューナ割り当て部は、前記チューナ駆動部により駆動される前記待機チューナに、所定の待機チャンネルを割り当てることを特徴とする。
【発明の効果】
【０００７】
本発明によれば、チャンネル切替動作が行われる場合において、その実質的な切替速度を短くし、視聴者の心的ストレスを低減させると共に消費電力を低減することができるディジタル放送受信装置を提供することができる。
【発明を実施するための最良の形態】
【０００８】
以下、図面を参照して、本発明の一実施形態に係るディジタル放送受信装置について説明する。
【０００９】
［第１実施形態］
（第１実施形態の構成）
図１は、本発明の第１実施形態に係るディジタル放送受信装置の概略図である。図１に示すように、第１実施形態に係るディジタル放送受信装置は、ディジタル放送を受信し再生するＴＶ本体１と、ＴＶの受信チャンネルの切り替え等を指示するリモコン２とを含む。
【００１０】
図２は、本発明の第１実施形態に係るディジタル放送受信装置におけるＴＶ本体１の機能ブロック図である。図２に示すように、ＴＶ本体１は、チューナ部１００と、ＭＰＥＧ復号部２００と、表示部３００と、スピーカ３５０と、チャンネル切替部４００とから構成されている。
【００１１】
チューナ部１００は、複数、例えば、３つのＴＶチューナ１０１，１０２，１０３を備えている。複数のＴＶチューナ１０１，１０２，１０３は、いずれか１つが視聴者により選局されたチャンネルのチューニングを担当し、他のものは、後述する情報等に基づきチャンネルのチューニングを担当する。
【００１２】
各ＴＶチューナ１０１〜１０３は、それぞれＯＦＤＭ（直交波周波数分割多重：orthogonal Frequency Division Multiplexing）復調器１１、誤り訂正器１２、及び多重分離器１３を備えている。ＯＦＤＭ復調部１１は、アンテナＡで受信された搬送波の中から”０”、”１”のディジタル信号を取り出す機能を有する。誤り訂正器１２は、伝送路で生じたディジタル信号の誤りをリード・ソロモン符号等により訂正し、放送局から送出されたＴＳパケットに戻す機能を有する。また、多重分離器１３は、誤り訂正後のＴＳパケットをから、選局されたチャンネルに係る映像信号、音声信号、及びＥＰＧ（Electronic Program Guide）情報を分離する機能を有する。
【００１３】
ＭＰＥＧ復号部２００は、複数のＴＶチューナ１０１〜１０３に対応して設けられた複数のＭＰＥＧ復号器２０１〜２０３を備えている。ＭＰＥＧ復号器２０１〜２０３は、多重分離部１３で分離されたＴＳパケットから映像信号及び音声信号を復号する機能を有する。この復号化された映像信号及び音声信号は、表示部３００及びスピーカ３５０に出力される。なお、ＭＰＥＧ復号器２０１〜２０３の出力端子は、スイッチング素子ＳＷ１〜ＳＷ３によりスイッチングされ、選局された映像及び音声信号のみが出力される。
【００１４】
チャンネル切替部４００は、視聴者が好みのチャンネルを選択するための選局部４０１と、チャンネル嗜好情報データベース４０２とを備えている。
【００１５】
選局部４０１は、受信器Ｂにて受信したリモコン２からの受信信号に基づき、チャンネルを選択するために用いられる選択信号を出力する。
【００１６】
チャンネル嗜好情報データベース４０２は、例えば図３に示すように、視聴者にとっての各チャンネルの嗜好度を示すファクタ、及びそのファクタに基づいて決定される各チャンネルのランキングのデータを保持したデータベースである。例えばファクタは、視聴時間、最終視聴時（視聴した順番）等である。
【００１７】
図３では、視聴時間の長いチャンネルほど高いランキングを付与されている。また、視聴日時が現在から近いほど高いランキングを付与されている。換言すると、ランキングは、チャンネルを切り替えるボタンを押下げる期間によって設定される。また、換言すると、ランキングは、切り替えられるチャンネルの順番に基づき設定される。なお、視聴時間を含む嗜好度のデータ及びランキングのデータは、後述するように適宜更新される。
【００１８】
またチャンネル切替部４００は、この選局部４０１の選択信号とチャンネル嗜好情報データベース４０２のデータ等に基づき、ＴＶチューナ１０１〜１０３にチャンネルを割り当てるチューナ割当・駆動部４０３を備えている。チューナ割当・駆動部４０３は、選局部４０１にて選局されたチャンネル（ここではチャンネル（８）とする）をＴＶチューナ１０１〜１０３のいずれか１つ（ここではＴＶチューナ１０１）に割り当てる。また、チューナ割当・駆動部４０３は、残りの２つ（ここでは、ＴＶチューナ１０２、１０３）に、後述するチャンネル割当状態記憶部４０４に基づき、チャンネルを割り当てる。また、チューナ割当・駆動部４０３は、推薦番組情報制御部４１０に基づき、視聴に用いられていない残りの２つのＴＶチューナ１０２、１０３の電源供給を停止する。
【００１９】
更にチューナ割当・駆動部４０３は、ＴＶチューナ１０１〜１０３のうち、選局部４０１で選局されたチャンネルの復調等を担当するものを他と区別するためのカレントチャンネルデータ（”１”又は”０”）を付与する。選局され表示部３００に表示中のチャンネルを復調しているＴＶチューナ（この例では１０１）には、カレントチャンネルデータとして”１”を付与し、その他のＴＶチューナ（この例では１０２、１０３）には”０”を付与する（図４参照）。
【００２０】
またチャンネル切替部４００は、チューナ割当・駆動部４０３による各ＴＶチューナ１０１〜１０３へのチャンネルの割当状態を記憶するチャンネル割当状態記憶部４０４を備えている。チャンネル割当状態記憶部４０４は、例えばフラッシュメモリ等の不揮発性半導体記憶装置が好適である。チューナ割当・駆動部４０３は、チャンネルの割当の終了後、その割当に関するデータをチャンネル割当状態記憶部４０４に送信し、チャンネル割当状態記憶部４０４はこのデータを記憶する。新たに選局部４０１により選局が行われる度に、この記憶データは更新される。また、ディジタル放送受信装置の電源スイッチがＯＦＦにされ、再びＯＮにされた場合には、この記憶部４０４の記憶データが所謂「ラストチャンネルデータ」として利用され、電源オフ前の選局状態が再現される。
【００２１】
また、チャンネル切替部４００は、前述のスイッチング素子ＳＷ１〜ＳＷ３を切替制御してＭＰＥＧ復号器２０１〜２０３のいずれか１つを表示部３００及びスピーカ３５０に接続するための切替制御部４０５を備えている。
【００２２】
切替制御部４０５は、チューナ割当・駆動部４０３からの切替信号の入力を受け、カレントチャンネルデータ”１”を与えられたＴＶチューナ１０１〜１０３のいずれか１つに対応するスイッチング素子ＳＷ１〜ＳＷ３を非導通状態から導通状態に切り換える。
【００２３】
また、チャンネル切替部４００は、タイマ４０６及びデータ更新部４０７を備えている。タイマ４０６は、選局部４０１により１つのチャンネルが選局され、次のチャンネルの選局があるまでの間の時間Ｔを計測する。そしてデータ更新部４０７は、この計測された時間Ｔに基づき、チャンネル嗜好情報データベース４０２のデータを更新する。
【００２４】
また、チャンネル切替部４００は、ＥＰＧ処理部４０８及びＥＰＧＤＢ４０９を備えている。ＥＰＧ処理部４０８は、ＴＶチューナ１０１，１０２，１０３のいずれかからＥＰＧ情報（番組情報）を受信し、ＥＰＧ情報をＥＰＧＤＢ４０９に格納する。このＥＰＧ情報には、例えば、表示手段３００で表示されるテレビ番組の番組情報（放送日、放送時間、チャンネル、タイトル、番組内容、出演者、ジャンル等）が含まれる。
【００２５】
また、チャンネル切替部４００は、推薦番組情報制御部４１０を備えている。推薦番組情報制御部４１０は、チャンネル嗜好情報ＤＢ４０２よりチャンネル嗜好情報を読み出し、ＥＰＧＤＢ４０９よりＥＰＧ情報を読み出す。チャンネル切替部４００は、受信器Ｂにて受信した受信信号に基づき、チャンネル嗜好情報、及びＥＰＧ情報に基づき推薦番組情報を生成し、表示部３００にて表示させる。また、推薦番組情報制御部４１０は、推薦番組情報を表示した旨を、チューナ割当・駆動部４０３に通知する。
【００２６】
次に、図５を参照して、リモコン２の構成について説明する。図５は、リモコン２の概略図である。図５に示すように、リモコン２は、赤外線などによりＴＶ本体１の動作を制御する制御信号を送信する送信部２１と、ＴＶ本体１の電源を入／切する電源ボタン２２と、選局を行う第１選局ボタン２３と、推薦番組を表示させる推薦番組表示ボタン２４と、選局を行う第２選局ボタン２５と、音量を調整する音量ボタン２６とを含む。
【００２７】
（第１実施形態の動作）
次に、第１実施形態のディジタル放送受信装置の動作を、図６のフローチャートを参照して説明する。ディジタル放送受信装置の電源スイッチがＯＮに切り替わると（ステップＳ１０１）、チューナ割当・駆動部４０３は、まずチャンネル割当状態記憶部４０４から一つのＴＶチューナ１０１の記憶データのみを読み出す（ステップＳ１０２）。
【００２８】
このとき、チャンネル割当状態記憶部４０４には、前回電源スイッチがオフにされる直前のチャンネル割当状態（電源オフ直前に見ていたチャンネル（ラストチャンネル）を含む）のデータが記憶されている。ここでは、図７（Ａ）に示すように、前回電源スイッチがオフされる直前において、ＴＶチューナ１０１にチャンネル（８）が割り当てられ、ＴＶチューナ１０１によりチャンネル（８）が視聴されていたものと考える。このチャンネル割当状態のデータがチャンネル割当状態記憶部４０４から読み出され、ＴＶチューナ１０１に割り当てられる（ステップＳ１０３）。これにより、電源スイッチをオフとする直前でのチャンネル割当状態が、電源スイッチのＯＮの後再現される。つまり、ＴＶ本体１の電源投入時、一つのＴＶチューナ１０１のみが、起動状態にある。
【００２９】
次に、選局部４０１において、推薦番組表示受付が行われた場合（ステップＳ１０４）、チューナ割当・駆動部４０３は、チャンネル割当状態記憶部４０４からその他のＴＶチューナ１０２、１０３の記憶データを読み出す（ステップＳ１０５）。ここでは、図７（Ｂ）に示すように、前回電源スイッチがオフされる直前において、ＴＶチューナ１０２、１０３にそれぞれチャンネル（１０）、（１）が割り当てられ、ＴＶチューナ１０１によりチャンネル（８）が視聴されていたものと考える。このチャンネル割当状態のデータがチャンネル割当状態記憶部４０４から読み出され、各ＴＶチューナ１０２、１０３に割り当てられる（ステップＳ１０６）。つまり、推薦番組表示受付が行われた場合に、複数のＴＶチューナ１０１〜１０３が起動状態となる。
【００３０】
その後、選局部４０１において、新たにチャンネル（１０）が選局された場合（ステップＳ１０７）、チューナ割当・駆動部４０３は、この新規に選局されたチャンネル（１０）が、現在各ＴＶチューナ１０１〜１０３により現在復調されているか否かを、チャンネル割当状態記憶部４０４のデータを読むことにより確認する（ステップＳ１０８）。
【００３１】
図７（Ｂ）に示すように、チャンネル（１０）は既にＴＶチューナ１０２に割り当てられている。そこでチューナ割当・駆動部４０３は、図７（Ｃ）に示すように、そのＴＶチューナ１０２のカレントチャンネルデータを”０”から”１”に切り替え、他のＴＶチューナ１０１、１０３のカレントチャンネルデータを”０”にする。このカレントチャンネルデータの切り替わりに対応して、切替制御部４０５に切替信号を送信して（ステップＳ１０９）、スイッチング素子ＳＷ１をＯＮに、その他スイッチング素子ＳＷ１，ＳＷ３をＯＦＦに切り替えさせる。
【００３２】
これにより、チャンネル（８）に代わり、チャンネル（１０）の視聴が可能となる。この場合、チャンネル（１０）の映像及び音声信号の復調、誤り訂正、多重分離等はチャンネル選局動作（ステップＳ１０７）の前、すなわちチャンネル（８）の視聴中から並行して行われている。従って、表示部３００におけるチャンネル（１０）の表示は、チャンネル（１０）の選局動作後、従来要していた復調、復号等の時間の経過を待つことなく速やかに行われる。
【００３３】
続いてチューナ割当・駆動部４０３は、チャンネル嗜好情報データベース４０２よりランキングデータを取得し（ステップＳ１１０）、ＴＶチューナ１０２以外の余っているＴＶチューナ１０１、１０３に、ランキングの高いチャンネルを割り当てる（ステップＳ１１１）。ここでは、チャンネル（８）及び（１）が割り当てられる。このようにして全てのＴＶチューナ１０１〜１０３にチャンネルの割当が完了すると、チューナ割当・駆動部４０３はその割当情報をチャンネル割当状態記憶部４０４に上書きして、チャンネル割当状態記憶部４０４の記憶データを更新する（ステップＳ１１２）。
【００３４】
次に、選局部４０１において、新たにチャンネル（６）が選局された場合（ステップＳ１１３）、チューナ割当・駆動部４０３は、この新規に選局されたチャンネル（６）が、現在各ＴＶチューナ１０１〜１０３により復調されているか否かを、チャンネル割当状態記憶部４０４のデータを読むことにより確認する（ステップＳ１１４）。
【００３５】
図７（Ｃ）に示すように、チャンネル（６）はＴＶチューナ１０１〜１０３のいずれにも割り当てられていない。そこでチューナ割当・駆動部４０３は、図７（Ｄ）に示すように、例えばＴＶチューナ１０３に、チャンネル（１）に代えてチャンネル（６）を割り当てて、その映像及び音声信号の復調等を行わせる（ステップＳ１１５）。同時に、チューナ割当・駆動部４０３は、そのＴＶチューナ１０３のカレントチャンネルデータを”０”から”１”に切り替え、他のＴＶチューナ１０１、１０２のカレントチャンネルデータを”０”にする。このカレントチャンネルデータの切り替わりに対応して、切替制御部４０５に切替信号を送信して（ステップＳ１１６）、スイッチング素子ＳＷ３をＯＮに、その他スイッチング素子ＳＷ１，ＳＷ２をＯＦＦに切り替えさせる。これにより、チャンネル（１０）に代わり、チャンネル（６）の視聴が可能となる。ただしこの場合、チャンネル（６）の映像及び音声信号の復調等は選局動作後（ステップＳ１１３）から開始されるので、前述のチャンネル（１０）の選局の場合に比べ、選局動作から表示までの時間は長くなる。
【００３６】
続いてチューナ割当・駆動部４０３は、チャンネル嗜好情報データベース４０２よりランキングデータを取得し（ステップＳ１１７）、ＴＶチューナ１０３以外の余っているＴＶチューナ１０１、１０２に、ランキングの高いチャンネルを割り当てる（ステップＳ１１８）。ここでは、チャンネル（８）及び（１０）が割り当てられる。このようにして全てのＴＶチューナ１０１〜１０３にチャンネルの割当が完了すると、チューナ割当・駆動部４０３はその割当情報をチャンネル割当状態記憶部４０４に上書きして、チャンネル割当状態記憶部４０４を更新する（ステップＳ１１９）。
【００３７】
次に、選局部４０１において、推薦番組非表示受付が行われた場合（ステップＳ１２０）、チューナ割当・駆動部４０３は、図７（Ｅ）に示すように、現在カレントチャンネルデータが”１”であるＴＶチューナ１０３以外のＴＶチューナ１０１、１０２の割当チャンネルを無効（−）とする（ステップＳ１２１）。つまり、ステップＳ１２１においてチューナ割当・駆動部４０３は、ＴＶチューナ１０１、１０２の動作を停止させ、視聴に用いられている一つのＴＶチューナ１０３のみを起動状態とする。
【００３８】
その後、ディジタル信号受信装置の電源スイッチがＯＦＦとされると（ステップＳ１２２）、データ更新部４０７は直前に視聴されていたチャンネルの視聴時間に基づいてチャンネル嗜好情報データベース４０２を更新し、動作を終了し、電源がオフとされる。次に電源スイッチがＯＮとされる場合においては、図７（Ｄ）に示すチャンネル割当状態のデータに基づいて、最初のチャンネル割当が行われる。
【００３９】
なお、上記の電源スイッチのＯＮ動作（ステップＳ１０１）、及び選局動作（ステップＳ１０７、ステップＳ１１３）の間、タイマ４０６は、選局されたチャンネル、又はラストチャンネルの視聴時間を計測する。計測された視聴時間のデータは、データ更新部４０７に送信され、データ更新部４０７は、このデータに基づいてチャンネル嗜好情報データベース４０２を更新する。ただし、データの更新は選局動作がなされる毎に行う必要はなく、例えばデータ更新部４０７にデータを蓄積しておき、所定時間毎に行っても良い。
【００４０】
次に、図８を参照して、上述したステップＳ１０４の動作を詳細に説明する。
図８に示すように、先ず、推薦番組情報制御部４１０は、リモコン２から送信された制御信号に基づき、リモコン２において推薦番組表示ボタン２４が押し下げられたか否かを判断する（ステップＳ１０４１）。
【００４１】
ここで、推薦番組情報制御部４１０は、推薦番組表示ボタン２４が押し下げられたと判断すると（ステップＳ１０４１、Ｙ）、ＥＰＧＤＢ４０９から番組情報を取り出し、チャンネル嗜好情報ＤＢ４０２から視聴者の嗜好に沿ったチャンネルを取り出し、両者を照らし合わせて推薦番組情報を生成する（ステップＳ１０４２）。一方、推薦番組情報制御部４１０は、推薦番組表示ボタン２４が押し下げられていないと判断すると（ステップＳ１０４１、Ｎ）、本処理を終了する。
【００４２】
ステップＳ１０４２の次に、推薦番組情報制御部４１０は、表示部３００に生成した推薦番組情報を表示する（ステップＳ１０４３）。そして、推薦番組情報制御部４１０は、複数のＴＶチューナ１０１〜１０３を起動し（ステップＳ１０４４）、本処理を終了する。例えば、推薦番組情報Ｒは、図９に示すように、ＴＶ本体１の右側に、「××ドラマ」と番組タイトル等が表示されたものである。
【００４３】
次に、図１０を参照して、上述したステップＳ１２０の動作を詳細に説明する。
図１０に示すように、先ず、推薦番組情報制御部４１０は、リモコン２から送信された制御信号に基づき、リモコン２において推薦番組表示ボタン２４が押し上げられたか否かを判断する（ステップＳ１２０１）。
【００４４】
ここで、推薦番組情報制御部４１０は、推薦番組表示ボタン２４が押し上げられたと判断すると（ステップＳ１２０１、Ｙ）、推薦番組情報を非表示とする（ステップＳ１２０２）。一方、推薦番組情報制御部４１０は、推薦番組表示ボタン２４が押し上げられていないと判断すると（ステップＳ１２０１、Ｎ）、本処理を終了する。
【００４５】
ステップＳ１２０２の次に、推薦番組情報制御部４１０は、複数のＴＶチューナ１０１、１０２を停止し、本処理を終了する（ステップＳ１２０３）。
【００４６】
（第１実施形態の効果）
次に、本発明の第１実施形態における効果を、図１１を参照して説明する。一例としてランキングの高い上位３つのチャンネル（８）、（１）、（１０）を選択する確率が７５％、他のチャンネルを選択する確率が２５％である場合を考える。図１１に示すように、この場合、従来の装置においては、常にチャンネルの切替時間が２．０秒である。これに対し本実施の形態の装置の場合、ランキング上位３つのチャンネルについてはチャンネルの切替時間が実質０秒で、下位のチャンネルは従来同様チャンネルの切替時間が１．５〜２．０秒である。しかし、平均的な切替時間は、１．５〜２．０×０．２５＝０．５秒であり、従来に比べ１／４となる。従って、視聴者の心的なストレスを軽減することができる。
【００４７】
また、一台のＴＶチューナの消費電力をＥ［Ｗ］、ＴＶチューナの台数をｘ［台］、一時間あたりに番組リストを表示する総時間（時間単位）をＴ［ｈ］とすると、一時間あたりの消費電力量は、Ｅ×（１−Ｔ）＋Ｅ×ｘ×Ｔ［Ｗｈ］かかることとなる。常時すべてのＴＶチューナにチャンネルを割り当てていた場合、一時間あたりの消費電力量はＥ×ｘ［Ｗｈ］かかる。
【００４８】
例えば、Ｅ＝２、ｘ＝３、Ｔ＝０．０２とすると常時複数のＴＶチューナにチャンネルを割り当てていた場合に比べ、消費電力量３．９２［Ｗｈ］の節約が可能である。  
【００４９】
このように、本発明の第１実施形態によれば、複数のＴＶチューナ１０１〜１０３のうち１つが選局されたチャンネルを割り当てられ、その他のＴＶチューナは、指定期間、及び指定順番に基づいてチャンネルを割り当てられる。このため、ランキングの高いチャンネルが選局された場合、チャンネルの切替時間を短くすることができる。ときにランキングが低いチャンネルが選択される場合もあり、その場合には従来と同様、チャンネルの切替時間として１．５〜２．０秒程度が必要となるが、平均的な切替時間は短くすることができる。
【００５０】
そして、推薦番組表示によりチャンネルが切り替えられる可能性があると判断した時（待機駆動開始条件が成立）に、複数のＴＶチューナ１０１〜１０３を起動する。一方、推薦番組非表示によりチャンネルが切り替えられる可能性がないと判断した時（待機駆動停止条件が成立）に、複数のＴＶチューナ１０１〜１０３の視聴に用いられていないチューナを停止する。つまり、複数のＴＶチューナに使用される電力の消費を抑えることができる。
【００５１】
［第２実施形態］
（第２実施形態の構成）
図１２を参照して、本発明の第２実施形態にかかるディジタル放送受信装置のＴＶ本体１’の構成について説明する。図１２に示すように、第２実施形態にかかるディジタル放送受信装置は、ＴＶ本体１’の構成が、第１実施形態と異なる。第２実施形態にかかるディジタル放送受信装置は、電源ＯＮ時に複数のＴＶチューナを起動させ、一定のチャンネルを所定の設定時間を超えて表示していた場合に、そのチャンネルのＴＶチューナのみを起動状態とし、他のＴＶチューナを停止させるものである。なお、第２実施形態において、第１実施形態と同様の構成については、同一符号を付し、その説明を省略する。
【００５２】
第２実施形態に係るＴＶ本体１’は、タイマ４１１を備える点で第１実施形態と異なる。つまり、チャンネル切替部４００’が、第１実施形態の構成と異なる。タイマ４１１は、チューナ割当・駆動部４０３へタイミング信号を入力する。チューナ割当・駆動部４０３は、タイミング信号に基づき、複数のＴＶチューナを起動させる。また、チューナ割当・駆動部４０３は、タイミング信号に基づき、表示中のチャンネルを受信しているもの以外のＴＶチューナを停止させる。
【００５３】
（第２実施形態の動作）
次に、本発明の第２実施形態に係るディジタル放送受信装置の動作を、図１３のフローチャートを参照して説明する。ディジタル放送受信装置の電源スイッチがＯＮに切り替わると（ステップＳ２０１）、チューナ割当・駆動部４０３は、まずチャンネル割当状態記憶部４０４から複数のＴＶチューナ１０１〜１０３の記憶データを読み出す（ステップＳ２０２）。
【００５４】
このとき、チャンネル割当状態記憶部４０４には、前回電源スイッチがオフにされる直前のチャンネル割当状態（電源オフ直前に見ていたチャンネル（ラストチャンネル）を含む）のデータが記憶されている。そして、このチャンネル割当状態のデータがチャンネル割当状態記憶部４０４から読み出され、ＴＶチューナ１０１〜１０３に割り当てられる（ステップＳ２０３）。つまり、ＴＶ本体１の電源投入時、複数のＴＶチューナ１０１〜１０３が起動する。
【００５５】
次に、ステップＳ２０４〜ステップＳ２１６の処理が実行される。なお、ステップＳ２０４〜ステップＳ２１６の処理は、第１実施形態のステップＳ１０７〜ステップＳ１１９の処理と同様であるため、その説明を省略する。
【００５６】
ステップＳ２１６の処理の後、一定チャンネルを所定の設定時間を超えて表示しているとする。このような場合、チューナ割当・駆動部４０３は、タイマ４１１に基づき所定の設定時間を超過したと判断し、一つの視聴されている（カレントチャンネルデータが”１”である）ＴＶチューナ１０３を起動させておき、視聴されていない（カレントチャンネルデータが”０”である）複数のＴＶチューナ１０１、１０２を停止させる（ステップＳ２１７）。
【００５７】
その後、選局部４０１において、再びチャンネル（６）が選局された場合（ステップＳ２１８）、続いてチューナ割当・駆動部４０３は、チャンネル嗜好情報データベース４０２よりランキングデータを取得し（ステップＳ２１９）、チャンネル割当状態の確認（ステップＳ２２０）の後、ＴＶチューナ１０３以外のＴＶチューナ１０１、１０２に、ランキングの高いチャンネルを割り当てる（ステップＳ２２１）。つまり、ステップＳ２２１において、ＴＶチューナ１０１，１０２を再び起動する。そして、第１実施形態と同様にチャンネル割当状態記憶部４０４を更新、電源ＯＦＦ等が行われ、本処理を終了する（図示略）。
【００５８】
このような第２実施形態の構成により、ＴＶ本体１’の電源が投入されたとき又は指定するチャンネルが切り替えられた時に視聴者がチャンネルを切り替える可能性が高いと判断して（待機駆動開始条件成立）、複数のＴＶチューナを起動させる。そして、所定の設定時間を超過した場合に、複数のＴＶチューナが起動している状態から、一つのＴＶチューナのみが起動状態とする。つまり、所定の設定時間が超過した場合、視聴者がチャンネルを切り替える可能性が低いと判断して（待機駆動停止条件成立）、複数のＴＶチューナの電源をＯＦＦ状態とするものである。したがって、第１実施形態と同様に、チャンネル切り替えが迅速となり、その消費電力も低減することができる。
【００５９】
［第３実施形態］
図１４を参照して、本発明の第３実施形態に係るディジタル放送受信装置の構成を説明する。図１４に示すように、本発明の第３実施形態に係るディジタル放送受信装置は、ＴＶ本体１’’の構成が、第１及び第２実施形態と異なる。
【００６０】
ＴＶ本体１’’は、第１及び第２実施形態と異なるチャンネル切替部４００’’を備える。チャンネル切替部４００’’は、番組情報通知４１２を備える。
【００６１】
番組情報通知部４１２は、ＥＰＧＤＢ４０９を参照して、ＴＶ本体１’’に電源投入時から、例えば、時間によりニュース番組からスポーツ番組に放送内容が変わる毎に、その番組情報が変わった旨をチューナ割当・駆動部４０３に通知する。
【００６２】
チューナ割当・駆動部４０３は、番組情報通知部４１２により、表示チャンネルが変えられて（或いは、ＴＶ本体１’’の電源投入時）からの番組数を計数する。複数のＴＶチューナが起動している状態において、チューナ割当・駆動部４０３は、所定の番組数を超過したと判断すると、視聴に用いているＴＶチューナを一つ残して、その他の複数のＴＶチューナを停止させる。
【００６３】
第３実施形態の動作は、第２実施形態の動作（ステップＳ２０１〜ステップＳ２２１）と略同様である。第３実施形態の動作は、第２実施形態のステップＳ２１７の工程のみが異なる。第３実施形態においては、ＴＶ本体１’’に電源が投入された時又はチャンネルが切り替えられた時、視聴者がチャンネルを切り替える可能性が高いと判断し（待機駆動開始条件成立）、複数のＴＶチューナを駆動させる。一方、ステップＳ２１７に替わって、設定番組数を超過したか否かを判定し、超過したと判定した場合（待機駆動停止条件成立）、視聴に用いているＴＶチューナのみを起動状態として、その他の複数のＴＶチューナを停止させる。このような構成により、第１及び第２実施形態と同様の効果を得ることができる。
【００６４】
［第４実施形態］
（第４実施形態の構成）
図１４を参照して、本発明の第４実施形態にかかるディジタル放送受信装置のＴＶ本体１’’’の構成について説明する。図１４に示すように、第４実施形態にかかるディジタル放送受信装置は、ＴＶ本体１’’’の構成が、第１〜第３実施形態と異なる。第４実施形態にかかるディジタル放送受信装置は、電源ＯＮ時にひとつのＴＶチューナを起動させ、ＣＭ放送中に、複数のＴＶチューナを起動させる。なお、第４実施形態において、第１〜第３実施形態と同様の構成については、同一符号を付し、その説明を省略する。
【００６５】
第４実施形態に係るＴＶ本体１’’’は、タイマ４１１（或いは、番組情報通知部４１２）の替わりに検出部４１３を備える点で第２及び第３実施形態と異なる。つまり、チャンネル切替部４００’’’の構成が、第２及び第３実施形態と異なる。検出部４１３は、図１６に示すように、番組１及び番組２の間に放送されるＣＭ放送を検出する。ＣＭは、その始点・終点の音声信号が無音になるという性質を有している。検出部４１２は、そのＣＭの特徴的な音声信号を検出して、ＣＭの放送期間を検出する。検出部４１３は、ＣＭを検出した場合、その旨を伝える検出信号をチューナ割当・駆動部４０３へ出力する。チューナ割当・駆動部４０３は、この検出信号に基づき、ＴＶチューナの割当を制御する。
【００６６】
（第４実施形態の動作）
次に、第４実施形態のディジタル放送受信装置の動作を、図１７のフローチャートを参照して説明する。図１７に示すように、先ず、ステップＳ３０１〜ステップＳ３０３の処理が実行される。第４実施形態のディジタル放送受信装置の動作において、ステップＳ３０１〜ステップＳ３０３は、第１実施形態のステップＳ１０１〜ステップＳ１０３と同一である。したがって、ステップＳ３０１〜ステップＳ３０３の処理は、その説明を省略する。
【００６７】
ステップＳ３０３の次に、ＣＭ放送が開始されたとする。このような場合、チューナ割当・駆動部４０３は、検出部４１２に基づき、ＣＭ放送が開始されたと判断し、複数のＴＶチューナ１０１〜１０３を起動し、チャンネルを割り当てる（ステップＳ３０４）。そして、ステップＳ３０４に続き、ステップＳ３０５〜ステップＳ３１７の処理が行われる。なお、ステップＳ３０５〜ステップＳ３１７は、第１実施形態のステップＳ１０７〜ステップＳ１１９と同一である。したがって、ステップＳ３０５〜ステップＳ３１７の処理は、その説明を省略する。
【００６８】
そして、ステップＳ３１７の後に、ＣＭ放送が終了したとする。このような場合、チューナ割当・駆動部４０３は、検出部４１２に基づき、ＣＭ放送が終了したと判断し、視聴に用いられているチャンネルのＴＶチューナ１０３のみを起動させた状態とし、その他のＴＶチューナ１０１、１０２を停止させる（ステップＳ３１８）。そして、第１〜第３実施形態と同様に電源ＯＦＦにより、本処理を終了する（図示略）。
【００６９】
このような第４実施形態の構成により、ＣＭ放送中にあっては、視聴者がチャンネルを切り替える可能性が高いと判断し（待機駆動開始条件成立）、複数のＴＶチューナを起動させる。一方、ＣＭ放送中でなければ、視聴者がチャンネルを切り替える可能性が低いと判断し（待機駆動停止条件成立）、視聴に用いられている一つのＴＶチューナのみを起動する状態とする。つまり、ＣＭ放送中でなければ、視聴者がチャンネルを切り替える可能性が低いと判断して、複数のＴＶチューナの電源をＯＦＦ状態とするものである。したがって、第１〜第３実施形態と同様に、チャンネル切り替えが迅速となり、その消費電力も低減することができる。
【００７０】
［第４実施形態の変形例］
上述した第４実施形態は、ＣＭの放送を検出して、複数のＴＶチューナを起動させるものであったが、ＣＭの放送のみだけではなく、例えば、図１８に示すようにＴＶ本体１’’の画面に表示される速報等のテロップ表示Ｔを検出して、複数のＴＶチューナを起動させるものであってもよい。第４実施形態において、検知部４１３は、受信した画像に含まれるテロップの文字情報を検出し、検出した文字情報の内容を解析する。
【００７１】
この場合、複数のＴＶチューナ１０１〜１０３に割り当てるチャンネルは、速報（テロップ）に関連したチャンネルを割り当てるように設定してもよい。例えば、テロップが、台風に関するものであれば、関連するチャンネルは、天気情報を報告するものである。
【００７２】
このような第４実施形態の変形例の構成によって、テロップＴが表示されていれば、視聴者がチャンネルを切り替える可能性が高いと判断して（待機駆動開始条件成立）、複数のＴＶチューナを駆動させる。一方、テロップ表示Ｔが表示されていなければ、視聴者がチャンネルを切り替える可能性が低いと判断して（待機駆動停止条件成立）、一つのＴＶチューナのみを起動状態とする。消費電力を低減することができる。
【００７３】
［第５実施形態］
次に、図１９を参照して、本発明の第５実施形態に係るディジタル放送受信装置について説明する。第５実施形態は、リモコン２’の構成が、第１〜第３実施形態と異なる。なお、第５実施形態において、第１〜第４実施形態と同様の構成については、同一符号を付し、その説明を省略する。
【００７４】
リモコン２’は、推薦番組表示ボタン２４の替わりに、設定時間経過後にＴＶ本体１（ＴＶチューナ１０１〜１０３）を停止させるオフタイマボタン（ＳＬＥＥＰボタン）２７を備える。リモコン２’は、オフタイマボタン２７が押下げられると、設定時間経過後にＴＶ本体１（ＴＶチューナ１０１〜１０３）を停止させる制御信号を送信部２１よりＴＶ本体１’’’に送信する。
【００７５】
複数チューナ起動時において、チューナ割当・駆動部４０３は、リモコン２’からの制御信号に基づき、ＯＦＦタイマボタン２７が押下げられたと判断すると、視聴に用いられているチャンネルに使用中のＴＶチューナのみを起動させた状態とし、その他のＴＶチューナを停止させる。
【００７６】
上記のように第５実施形態によれば、複数のＴＶチューナを用いることにより、迅速にチャンネルを切り替えることができる。また、第５実施形態によれば、ＯＦＦタイマボタン２７が押し下げられていないと、チャンネルが切り替えられる可能性が高いと判断し（待機駆動開始条件成立）、複数のＴＶチューナを駆動させる。一方、ＯＦＦタイマボタン２７が押下げられることにより、チャンネルが切り替えられる可能性が低いと判断し（待機駆動停止条件成立）、視聴に用いられているＴＶチューナのみを起動させることができる。なお、ＯＦＦタイマボタン２７は、リモコン２’に取り付けられるのではなく、ＴＶ本体１に取り付けられるものであってもよい。
【００７７】
［第６実施形態］
次に、図２０を参照して、本発明の第６実施形態に係るディジタル放送受信装置について説明する。第６実施形態は、リモコン２’’の構成が、第５実施形態と異なる。なお、第６実施形態において、第１〜第５実施形態と同様の構成については、同一符号を付し、その説明を省略する。
【００７８】
リモコン２’’は、その筐体の両側面に静電容量センサ２８、２８を備える。静電容量センサ２８、２８は、その静電容量の変化から接触を感知して、その接触に基づく接触信号を送信部２１よりＴＶ本体１’’’に送信する。つまり、静電容量センサ２８、２８は、視聴者がリモコン２’’を把持したことを検知する。
【００７９】
一つのＴＶチューナのみが起動している状態において、チューナ割当・駆動部４０３は、リモコン２’’からの接触信号を受信し、複数のＴＶチューナを起動させ、複数のＴＶチューナにチャンネルを割り当てる。
【００８０】
上記のように第６実施形態によれば、複数のＴＶチューナを用いることにより、迅速にチャンネルを切り替えることができる。また、第６実施形態によれば、静電容量センサ２８、２８により、接触が感知されない場合、チャンネルが切り替えられる可能性が低いと判断し（待機駆動停止条件成立）、一つのＴＶチューナのみを起動させるので、消費電力を低減することができる。
【００８１】
以上、本発明の第１〜第６実施形態を説明したが、本発明の構成は、上記に限られるものではない。チャンネルが切り替えられる可能性が低いと判断する基準は、複数の条件から判断してもよい。つまり、上記第１〜第６実施形態の特徴的構成を多数有する実施形態も可能である。
【図面の簡単な説明】
【００８２】
【図１】本発明の第１実施形態に係るディジタル放送受信装置の概略図である。
【図２】本発明の第１実施形態に係るディジタル放送受信装置のＴＶ本体１の機能ブロック図である。
【図３】図２のチャンネル嗜好ＤＢ４０２に格納されるデータの構造の一例を示す図である。
【図４】チューナ割当・駆動部４０３の機能を説明する図である。
【図５】本発明の第１実施形態に係るディジタル放送受信装置のリモコン２の概略図である。
【図６】本発明の第１実施形態に係るディジタル放送受信装置の動作を示すフローチャートである。
【図７】本発明の第１実施形態に係るディジタル放送受信装置の動作を説明する図である。
【図８】図７のステップＳ１４１を説明するフローチャートである。
【図９】推薦番組表示を説明するための図である。
【図１０】図７のステップＳ１２０を説明するフローチャートである。
【図１１】本発明の第１実施形態に係るディジタル放送受信装置の効果を従来例と対比する図である。
【図１２】本発明の第２実施形態に係るディジタル放送受信装置のＴＶ本体１’の機能ブロック図である。
【図１３】本発明の第２実施形態に係るディジタル放送受信装置の動作を示すフローチャートである。
【図１４】本発明の第３実施形態に係るディジタル放送受信装置のＴＶ本体１’’の機能ブロック図である。
【図１５】本発明の第４実施形態に係るディジタル放送受信装置のＴＶ本体１’’’の機能ブロック図である。
【図１６】番組情報とＣＭ情報との関係を説明するための図である。
【図１７】本発明の第４実施形態に係るディジタル放送受信装置の動作を示すフローチャートである。
【図１８】速報（テロップ）表示を説明するための図である。
【図１９】本発明の第５実施形態に係るディジタル放送受信装置のリモコン２’の概略図である。
【図２０】本発明の第６実施形態に係るディジタル放送受信装置のリモコン２’’の概略図である。
【符号の説明】
【００８３】
１，１’，１’’ ，１’’’…ＴＶ本体、２，２’、２’’ …リモコン、１００，１００’ ，１００’’ ，１００’’’…チューナ部、２００…ＭＰＥＧ復号部、３００…表示部、３５０…スピーカ、４００，４００’ ，４００’’ ，４００’’’…チャンネル切替部。
【図１】
2008219121.tif 000003
【図２】
2008219121.tif 000004
【図３】
2008219121.tif 000005
【図４】
2008219121.tif 000006
【図５】
2008219121.tif 000007
【図６】
2008219121.tif 000008
【図７】
2008219121.tif 000009
【図８】
2008219121.tif 000010
【図９】
2008219121.tif 000011
【図１０】
2008219121.tif 000012
【図１１】
2008219121.tif 000013
【図１２】
2008219121.tif 000014
【図１３】
2008219121.tif 000015
【図１４】
2008219121.tif 000016
【図１５】
2008219121.tif 000017
【図１６】
2008219121.tif 000018
【図１７】
2008219121.tif 000019
【図１８】
2008219121.tif 000020
【図１９】
2008219121.tif 000021
【図２０】
2008219121.tif 000022